【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
第１のミキサ出力を生成するために、入力信号から抽出された信号をローカルオシレータ（ＬＯ）信号と混合するように構成された第１のミキサと、
第１の補助ミキサ出力を生成するために、前記入力信号から抽出された前記信号を前記ＬＯ信号と混合するように構成された第１の補助ミキサと、前記第１の補助ミキサ出力は、前記第１のミキサ出力における帯域外成分を低減するために、前記第１のミキサ出力に結合される、
第２のミキサ出力を生成するために、前記入力信号を前記ローカルオシレータ（ＬＯ）信号と混合するように構成された第２のミキサと、
第２の補助ミキサ出力を生成するために、前記入力信号を前記ＬＯ信号と混合するように構成された第２の補助ミキサと、前記第２の補助ミキサ出力は、前記第２のミキサ出力における帯域外成分を低減するために、前記第２のミキサ出力に結合される、
出力電圧を生成するために、前記第１および第２のミキサ出力を合計するように構成されたトランスインピーダンス増幅器と、
を備える装置。
【請求項２】
前記第１、第１の補助、第２、および第２の補助ミキサの各々は、単一平衡ミキサを備える、請求項１に記載の装置。
【請求項３】
前記第１のミキサ出力は、ハイパスフィルタによって前記第１の補助ミキサ出力に結合される、請求項１に記載の装置。
【請求項４】
前記ハイパスフィルタはキャパシタを備える、請求項３に記載の装置。
【請求項５】
前記第１および第２のミキサ出力を相互に結合する複数の交差結合キャパシタをさらに備える、請求項１に記載の装置。
【請求項６】
第１のＱミキサ出力を生成するために、前記入力信号から抽出された前記信号を直交ローカルオシレータ（ＬＯ）信号と混合するように構成された第１のＱミキサと、
第１の補助Ｑミキサ出力を生成するために、前記入力信号から抽出された前記信号を前記直交ＬＯ信号と混合するように構成された第１の補助Ｑミキサと、前記第１の補助Ｑミキサ出力は、前記第１のＱミキサ出力における帯域外成分を低減するために、前記第１のＱミキサ出力に結合される、
第２のＱミキサ出力を生成するために、前記入力信号を前記直交ローカルオシレータ（ＬＯ）信号と混合するように構成された第２のＱミキサと、
第２の補助Ｑミキサ出力を生成するために、前記入力信号を前記直交ＬＯ信号と混合するように構成された第２の補助Ｑミキサと、前記第２の補助Ｑミキサ出力は、前記第２のＱミキサ出力における帯域外成分を低減するために、前記第２のＱミキサ出力に結合される、
をさらに備える、請求項１に記載の装置。
【請求項７】
前記第１のＱミキサ出力を前記第２のミキサ出力に、および前記第２のＱミキサ出力を前記第１のミキサ出力に結合する複数の交差結合キャパシタをさらに備える、請求項６に記載の装置。
【請求項８】
前記第１のミキサ出力と前記第１の補助ミキサ出力を合計するように構成された同相トランスインピーダンス増幅器と、
前記第１のＱミキサ出力と前記第１のＱ補助ミキサ出力を合計するように構成された直交トランスインピーダンス増幅器と、
をさらに備える、請求項６に記載の装置。
【請求項９】
前記入力信号から抽出された前記信号を対応する多相ＬＯ信号と混合するように構成された少なくとも１つの多相第１のミキサと、
少なくとも１つの多相第１の補助ミキサ出力を生成するために、前記入力信号から抽出された前記信号を前記対応する多相ＬＯ信号と混合するように構成された少なくとも１つの追加の多相第１の補助ミキサと、前記少なくとも１つの多相第１の補助ミキサ出力は、前記少なくとも１つの多相第１のミキサ出力における帯域外成分を低減するために、前記第１のミキサ出力に結合される、
少なくとも１つの多相第２のミキサ出力を生成するために、前記入力信号を前記対応する多相ローカルオシレータ（ＬＯ）信号と混合するように構成された少なくとも１つの多相第２のミキサと、
少なくとも１つの多相第２の補助ミキサ出力を生成するために、前記入力信号を前記対応する多相ＬＯ信号と混合するように構成された少なくとも１つの多相第２の補助ミキサと、前記少なくとも１つの多相第２の補助ミキサ出力は、前記少なくとも１つの多相第２のミキサ出力における帯域外成分を低減するために、前記少なくとも１つの多相第２のミキサ出力に結合される、
をさらに備える、請求項１に記載の装置。
【請求項１０】
前記第１の補助ミキサに結合されたローカルオシレータの前記位相は、前記第１のミキサに結合されたローカルオシレータの前記位相に対して９０度だけオフセットされる、請求項１に記載の装置。
【請求項１１】
第１のミキサ出力電流を生成するために、入力信号から抽出された信号をダウンコンバートすることと、
第１の補助ミキサ出力電流を生成するために、前記入力信号から抽出された前記信号をダウンコンバートすることと、
前記第１のミキサ出力電流における帯域外成分を低減するために、前記第１の補助ミキサ出力電流を前記第１のミキサ出力電流と混合することと、
第２のミキサ出力電流を生成するために、前記入力信号をダウンコンバートすることと、
第２の補助ミキサ出力電流を生成するために、前記入力信号をダウンコンバートすることと、
前記第２のミキサ出力電流における帯域外成分を低減するために、前記第２の補助ミキサ出力電流を前記第２のミキサ出力電流と混合することと、
出力電圧を生成するために、前記第１および第２のミキサ出力電流を混合することと、
を備える方法。
【請求項１２】
複数の交差結合キャパシタを用いて、前記第１のミキサ出力電流を前記第２のミキサ出力電流に結合することをさらに備える、請求項１１に記載の方法。
【請求項１３】
第１のＱミキサ出力電流を生成するために、前記入力信号から抽出された前記信号をダウンコンバートすることと、
第１の補助Ｑミキサ出力電流を生成するために、前記入力信号から抽出された前記信号をダウンコンバートすることと、
前記第１のＱミキサ出力電流における帯域外成分を低減するために、前記第１の補助Ｑミキサ出力電流を前記第１のＱミキサ出力電流と混合することと、
第２のＱミキサ出力電流を生成するために、前記入力信号をダウンコンバートすることと、
第２の補助Ｑミキサ出力電流を生成するために、前記入力信号をダウンコンバートすることと、
前記第２のＱミキサ出力電流における帯域外成分を低減するために、前記第２の補助Ｑミキサ出力電流を前記第２のＱミキサ出力電流と混合することと、
出力電圧を生成するために、前記第１および第２のＱミキサ出力電流を混合することと、
をさらに備える、請求項１１に記載の方法。
【請求項１４】
複数の交差結合キャパシタを用いて、前記第１のＱミキサ出力を前記第２のミキサ出力に結合することと、
複数の交差結合キャパシタを用いて、前記第２のＱミキサ出力を前記第１のミキサ出力に結合することと、
をさらに備える、請求項１３に記載の方法。
【請求項１５】
前記第１、第１の補助、第２、および第２の補助ミキサの各々は、単一平衡ミキサを備える、請求項１１に記載の方法。
【手続補正２】
【補正対象書類名】明細書
【補正対象項目名】００７８
【補正方法】変更
【補正の内容】
【００７８】
[0088]開示された例示的な実施形態の前の説明は、本発明を作成または使用することを当業者に可能にするために提供される。これらの例示的な実施形態に対する種々の変更は、当業者に容易に明らかになるものであり、ここで定義された一般的な原則は、本発明の精神または範囲から逸脱することなく他の例示的な実施形態に適用され得る。従って、本発明は、ここに示された例示的な実施形態に限定されることを意図するものではないが、ここに開示された原則および新規の特徴と一致する最も広い範囲に適合させられるべきである。
以下に、本願出願の当初の特許請求の範囲に記載された発明を付記する。
［Ｃ１］
第１のミキサ出力を生成するために、入力信号から抽出された信号をローカルオシレータ（ＬＯ）信号と混合するように構成された第１のミキサと、
第１の補助ミキサ出力を生成するために、前記入力信号から抽出された前記信号を前記ＬＯ信号と混合するように構成された第１の補助ミキサと、前記第１の補助ミキサ出力は、前記第１のミキサ出力における帯域外成分を低減するために、前記第１のミキサ出力に結合される、
第２のミキサ出力を生成するために、前記入力信号を前記ローカルオシレータ（ＬＯ）信号と混合するように構成された第２のミキサと、
第２の補助ミキサ出力を生成するために、前記入力信号を前記ＬＯ信号と混合するように構成された第２の補助ミキサと、前記第２の補助ミキサ出力は、前記第２のミキサ出力における帯域外成分を低減するために、前記第２のミキサ出力に結合される、
出力電圧を生成するために、前記第１および第２のミキサ出力を合計するように構成されたトランスインピーダンス増幅器と、
を備える装置。
［Ｃ２］
前記第１、第１の補助、第２、および第２の補助ミキサの各々は、単一平衡ミキサを備える、Ｃ１に記載の装置。
［Ｃ３］
前記第１のミキサ出力は、ハイパスフィルタによって出力された前記第１の補助ミキサに結合される、Ｃ１に記載の装置。
［Ｃ４］
前記ハイパスフィルタはキャパシタを備える、Ｃ３に記載の装置。
［Ｃ５］
前記第１および第２のミキサ出力を相互に結合する複数の交差結合キャパシタをさらに備える、Ｃ１に記載の装置。
［Ｃ６］
第１のＱミキサ出力を生成するために、前記入力信号から抽出された前記信号を直交ローカルオシレータ（ＬＯ）信号と混合するように構成された第１のＱミキサと、
第１の補助Ｑミキサ出力を生成するために、前記入力信号から抽出された前記信号を前記直交ＬＯ信号と混合するように構成された第１の補助Ｑミキサと、前記第１の補助Ｑミキサ出力は、前記第１のＱミキサ出力における帯域外成分を低減するために、前記第１のＱミキサ出力に結合される、
第２のＱミキサ出力を生成するために、前記入力信号を前記直交ローカルオシレータ（ＬＯ）信号と混合するように構成された第２のＱミキサと、
第２の補助Ｑミキサ出力を生成するために、前記入力信号を前記直交ＬＯ信号と混合するように構成された第２の補助Ｑミキサと、前記第２の補助Ｑミキサ出力は、前記第２のＱミキサ出力における帯域外成分を低減するために、前記第２のＱミキサ出力に結合される、
をさらに備える、Ｃ１に記載の装置。
［Ｃ７］
前記第１のＱミキサ出力を前記第２のミキサ出力に、および前記第２のＱミキサ出力を前記第１のミキサ出力に結合する複数の交差結合キャパシタをさらに備える、Ｃ６に記載の装置。
［Ｃ８］
前記第１のミキサ出力と前記第１の補助ミキサ出力を合計するように構成された同相トランスインピーダンス増幅器と、
前記第１のＱミキサ出力と前記第１のＱ補助ミキサ出力を合計するように構成された直交トランスインピーダンス増幅器と、
をさらに備える、Ｃ６に記載の装置。
［Ｃ９］
前記入力信号から抽出された前記信号を対応する多相ＬＯ信号と混合するように構成された少なくとも１つの多相第１のミキサと、
少なくとも１つの多相第１の補助ミキサ出力を生成するために、前記入力信号から抽出された前記信号を前記対応する多相ＬＯ信号と混合するように構成された少なくとも１つの追加の多相第１の補助ミキサと、前記少なくとも１つの多相第１の補助ミキサ出力は、前記少なくとも１つの多相第１のミキサ出力における帯域外成分を低減するために、前記第１のミキサ出力に結合される、
少なくとも１つの多相第２のミキサ出力を生成するために、前記入力信号を前記対応する多相ローカルオシレータ（ＬＯ）信号と混合するように構成された少なくとも１つの多相第２のミキサと、
少なくとも１つの多相第２の補助ミキサ出力を生成するために、前記入力信号を前記対応する多相ＬＯ信号と混合するように構成された少なくとも１つの多相第２の補助ミキサと、前記少なくとも１つの多相第２の補助ミキサ出力は、前記少なくとも１つの多相第２のミキサ出力における帯域外成分を低減するために、前記少なくとも１つの多相第２のミキサ出力に結合される、
をさらに備える、Ｃ１に記載の装置。
［Ｃ１０］
前記第１の補助ミキサに結合されたローカルオシレータの前記位相は、前記第１のミキサに結合されたローカルオシレータの前記位相に対して９０度だけオフセットされる、Ｃ１に記載の装置。
［Ｃ１１］
第１のミキサ出力電流を生成するために、入力信号から抽出された信号をダウンコンバートするための手段と、
第１の補助ミキサ出力電流を生成するために、前記入力信号から抽出された前記信号をダウンコンバートするための手段と、
前記第１のミキサ出力電流における帯域外成分を低減するために、前記第１の補助ミキサ出力電流を前記第１のミキサ出力電流と混合するための手段と、
第２のミキサ出力電流を生成するために、前記入力信号をダウンコンバートするための手段と、
第２の補助ミキサ出力電流を生成するために、前記入力信号をダウンコンバートするための手段と、
前記第２のミキサ出力電流における帯域外成分を低減するために、前記第２の補助ミキサ出力電流を前記第２のミキサ出力電流と混合するための手段と、
出力電圧を生成するために、前記第１および第２のミキサ出力電流を混合するための手段と、
を備える装置。
［Ｃ１２］
前記第１のミキサ出力電流を前記第２のミキサ出力電流に交差結合するための手段をさらに備える、Ｃ１１に記載の装置。
［Ｃ１３］
第１のＱミキサ出力電流を生成するために、前記入力信号から抽出された前記信号をダウンコンバートするための手段と、
第１の補助Ｑミキサ出力電流を生成するために、前記入力信号から抽出された前記信号をダウンコンバートするための手段と、
前記第１のＱミキサ出力電流における帯域外成分を低減するために、前記第１の補助Ｑミキサ出力電流を前記第１のＱミキサ出力電流と混合するための手段と、
第２のＱミキサ出力電流を生成するために、前記入力信号をダウンコンバートするための手段と、
第２の補助Ｑミキサ出力電流を生成するために、前記入力信号をダウンコンバートするための手段と、
前記第２のＱミキサ出力電流における帯域外成分を低減するために、前記第２の補助Ｑミキサ出力電流を前記第２のＱミキサ出力電流と混合するための手段と、
出力電圧を生成するために、前記第１および第２のＱミキサ出力電流を混合するための手段と、
をさらに備える、Ｃ１１に記載の装置。
［Ｃ１４］
前記第１のＱミキサ出力を前記第２のミキサ出力に交差結合するための手段と、
前記第２のＱミキサ出力を前記第１のミキサ出力に交差結合するための手段と、
をさらに備える、Ｃ１３に記載の装置。
［Ｃ１５］
前記第１、第１の補助、第２、および第２の補助ミキサの各々は、単一平衡ミキサを備える、Ｃ１１に記載の装置。
［Ｃ１６］
第１のミキサ出力電流を生成するために、入力信号から抽出された信号をダウンコンバートすることと、
第１の補助ミキサ出力電流を生成するために、前記入力信号から抽出された前記信号をダウンコンバートすることと、
前記第１のミキサ出力電流における帯域外成分を低減するために、前記第１の補助ミキサ出力電流を前記第１のミキサ出力電流と混合することと、
第２のミキサ出力電流を生成するために、前記入力信号をダウンコンバートすることと、
第２の補助ミキサ出力電流を生成するために、前記入力信号をダウンコンバートすることと、
前記第２のミキサ出力電流における帯域外成分を低減するために、前記第２の補助ミキサ出力電流を前記第２のミキサ出力電流と混合することと、
出力電圧を生成するために、前記第１および第２のミキサ出力電流を混合することと、
を備える方法。
［Ｃ１７］
複数の交差結合キャパシタを用いて、前記第１のミキサ出力電流を前記第２のミキサ出力電流に結合することをさらに備える、Ｃ１６に記載の方法。
［Ｃ１８］
第１のＱミキサ出力電流を生成するために、前記入力信号から抽出された前記信号をダウンコンバートすることと、
第１の補助Ｑミキサ出力電流を生成するために、前記入力信号から抽出された前記信号をダウンコンバートすることと、
前記第１のＱミキサ出力電流における帯域外成分を低減するために、前記第１の補助Ｑミキサ出力電流を前記第１のＱミキサ出力電流と混合することと、
第２のＱミキサ出力電流を生成するために、前記入力信号をダウンコンバートすることと、
第２の補助Ｑミキサ出力電流を生成するために、前記入力信号をダウンコンバートすることと、
前記第２のＱミキサ出力電流における帯域外成分を低減するために、前記第２の補助Ｑミキサ出力電流を前記第２のＱミキサ出力電流と混合することと、
出力電圧を生成するために、前記第１および第２のＱミキサ出力電流を混合することと、
をさらに備える、Ｃ１６に記載の方法。
［Ｃ１９］
複数の交差結合キャパシタを用いて、前記第１のＱミキサ出力を前記第２のミキサ出力に結合することと、
複数の交差結合キャパシタを用いて、前記第２のＱミキサ出力を前記第１のミキサ出力に結合することと、
をさらに備える、Ｃ１８に記載の方法。
［Ｃ２０］
前記第１、第１の補助、第２、および第２の補助ミキサの各々は、単一平衡ミキサを備える、Ｃ１６に記載の方法。